(57)【要約】【課題】狭いスペースに収納可能であって、高さをコントロールできたり、種々の場所に設置することができたりする戴置台の提供。【解決手段】第１の嵌め合わせ部材と、第２の嵌め合わせ部材と、延長部材とを有し、第１及び第２の嵌め合わせ部材は、環状部と、二又状の２本の脚部と、環状部及び脚部を繋ぐ結合部とをそれぞれ有し、結合部には所定位置に溝が形成され、上記２つの嵌め合わせ部材の溝どうしを嵌め合わせることにより、上記２つの嵌め合わせ部材が一体化して合計４本の脚部にて自立可能になるよう構成され、延長部材は挟持部と挟持部から延びる柄部とを有し、挟持部は上記嵌め合わせた第１及び第２の嵌め合わせ部材のそれぞれの結合部を一括して着脱可能な形態で挟むように構成されてなる、載置台。【選択図】図１
2012161388.tif 000002
【特許請求の範囲】
【請求項１】
第１の嵌め合わせ部材と、第２の嵌め合わせ部材と、延長部材とを有し、
第１及び第２の嵌め合わせ部材は、環状部と、二又状の２本の脚部と、環状部及び脚部を繋ぐ結合部とそれぞれを有し、結合部において環状部と２本の脚部とがＸ字状を呈し、
第１の嵌め合わせ部材の結合部における環状部に向かう部分に溝が形成され、
第２の嵌め合わせ部材の結合部における脚部に向かう部分に溝が形成され、
第１の嵌め合わせ部材の環状部がつくる環の中に第２の嵌め合わせ部材の環状部を入れ込むようにするとともに、上記２つの嵌め合わせ部材の溝どうしを嵌め合わせることにより、上記２つの嵌め合わせ部材が一体化して合計４本の脚部にて自立可能になるよう構成され、
延長部材は挟持部と挟持部から延びる柄部とを有し、
挟持部は上記嵌め合わせた第１及び第２の嵌め合わせ部材のそれぞれの結合部を一括して着脱可能な形態で挟むように構成されてなる、
載置台。
【請求項２】
挟持部が第１及び第２の嵌め合わせ部材の４本の脚部の間から結合部を挟むように構成されてなる請求項１記載の載置台。
【請求項３】
第１及び第２の嵌め合わせ部材がそれぞれ実質的に一平面上に構成されてなる請求項１又は２記載の載置台。
【請求項４】
第１及び第２の嵌め合わせ部材はそれぞれの環状部が互いに実質的に直角になるように嵌め合わされる請求項１〜３のいずれかに記載の載置台。
【発明の詳細な説明】
【技術分野】
【０００１】
本発明は、物品を載せるための台である、載置台に関する。
【背景技術】
【０００２】
日用品などの物品を整頓したり、見栄えよく陳列したりするために、その物品ごとにひとつずつ台に載せることがある。いっぽう、載せるべき物品が無く、台のみが目立つことは見栄えがよくないばかりでなく、スペースの無駄でもあるので、物品を載せるための戴置台は物品を載せないときにはコンパクトに収納できることが好ましい。
【０００３】
例えば、衣服、装飾品、かつらなどを陳列する際には、人間の頭部・腕・足・脚を除いた胴体部分のみを造形したトルソーであるとか、人間の頭部のみを造形したヘッドマネキンなどを戴置台として用いることもある。
【先行技術文献】
【特許文献】
【０００４】
【特許文献１】特開２００２−１１２８６９号公報
【発明の開示】
【発明が解決しようとする課題】
【０００５】
限られたスペースにより多くの物品を整頓または陳列する際には、戴置台の高さを自在にコントロールできることが好ましい。また、戴置台自体が自立可能であることも好ましいが、さらに、壁面や柱などに固定することができれば、戴置台自体を置くためのスペースが不要になるなど好ましい。柔らかい物品を置く場合に型崩れなどが懸念されるときは、戴置台自体は用時において嵩高いことが好ましく、いっぽう、戴置台を使用しない場合には狭いスペースに収納できるようになっていることが好ましい。本発明は、狭いスペースに収納可能であって、高さをコントロールできたり、種々の場所に設置することができたりする戴置台の提供を課題とする。
【課題を解決するための手段】
【０００６】
本発明者が鋭意検討した結果、以下のような本発明を完成した。
（１）第１の嵌め合わせ部材と、第２の嵌め合わせ部材と、延長部材とを有し、第１及び第２の嵌め合わせ部材は、環状部と、二又状の２本の脚部と、環状部及び脚部を繋ぐ結合部とをそれぞれ有し、結合部において環状部と２本の脚部とがＸ字状を呈し、第１の嵌め合わせ部材の結合部における環状部に向かう部分に溝が形成され、第２の嵌め合わせ部材の結合部における脚部に向かう部分に溝が形成され、第１の嵌め合わせ部材の環状部がつくる環の中に第２の嵌め合わせ部材の環状部を入れ込むようにするとともに、上記２つの嵌め合わせ部材の溝どうしを嵌め合わせることにより、上記２つの嵌め合わせ部材が一体化して合計４本の脚部にて自立可能になるよう構成され、延長部材は挟持部と挟持部から延びる柄部とを有し、挟持部は上記嵌め合わせた第１及び第２の嵌め合わせ部材のそれぞれの結合部を一括して着脱可能な形態で挟むように構成されてなる、載置台。
（２）挟持部が第１及び第２の嵌め合わせ部材の４本の脚部の間から結合部を挟むように構成されてなる（１）の載置台。
（３）第１及び第２の嵌め合わせ部材がそれぞれ実質的に一平面上に構成されてなる（１）は（２）の載置台。
（４）第１及び第２の嵌め合わせ部材はそれぞれの環状部が互いに実質的に直角になるように嵌め合わされる（１）〜（３）のいずれかの載置台。
【発明の効果】
【０００７】
本発明によれば、戴置台はコンパクトに収納できるとともに、用時には嵩高くなり、柔らかい物品を戴置する場合においても型崩れなどが生じにくい。延長部材の使用により、戴置台の高さをコントロールしたり、柱等への固定も可能になるとともに、延長部材の挟持部が第１及び第２の嵌め合わせ部材の結合部を挟むために第１及び第２の嵌め合わせ部材の嵌め込み強度が向上する。
【図面の簡単な説明】
【０００８】
【図１】本発明の戴置台の一例を示す斜視図である。
【図２】第１の嵌め合わせ部材の模式平面図である。
【図３】第２の嵌め合わせ部材の模式平面図である。
【図４】本発明の戴置台の別の一例を示す斜視図である。
【発明を実施するための最良の形態】
【０００９】
以下、図面を参照しながら本発明をさらに詳しく説明する。但し、図面は参照のためのものであって、本発明の範囲は図示された態様に限定されるものでは無い。
図１は、本発明の戴置台の一例を示す斜視図である。第１の嵌め合わせ部材１０と第２の嵌め合わせ部材２０とが一体化されており、そこに、延長部材としての側方アタッチメント３０を取り付けようとしているところである。第１の嵌め合わせ部材１０と第２の嵌め合わせ部材２０とは、それぞれの結合部１２、２２において溝（図示せず）をはめ込むことにより一体化していて、４本の脚部１４、２４で自立可能になっている。２つの環状部１１、２１の上からかぶせるようにして物品（図示せず）を戴置することができる。
【００１０】
本発明において、延長部材は挟持部と柄部とを有する。柄部は挟持部から延びていて、好ましくは、挟持部とは反対側の端には柱等への取り付け手段（図示せず）が設けられていたり、脚部が設けられたりしている。柄部は魚釣り用の「振り出し竿」のように、中空の棒状体の中により細い棒状体が仕込まれており、これを引っ張り出す事により長さを調節できるように構成されていることが好ましい。挟持部は第１及び第２の嵌め合わせ部材のそれぞれの結合部を一括して着脱可能な形態で挟むように構成されている。
【００１１】
図１の態様では、延長部材として側方アタッチメント３０が採用されている。この側方アタッチメント３０にはクリップ状の挟持部３２、３３と、柄部３１とが備えられている。柄部３１の挟持部３２、３３とは反対側の端には、柱等に取り付けることができる手段が講じられている（図示せず）。側方アタッチメント３０を取り付けるには、挟持部３２、３３で、第１及び第２の嵌め合わせ部材１０、２０の結合部１２、２２を挟む。このとき、一つの結合部１２又は２２だけを挟持部３２、３３で挟むのではなく、２つの結合部１２、２２を一括して挟むことが重要であり、これにより、第１及び第２の嵌め合わせ部材の嵌め合わせ強度も向上する。この側方アタッチメント３０は必要に応じて第１及び第２の嵌め合わせ部材１０、２０に着脱可能である。
【００１２】
第１及び第２の嵌め合わせ部材１０、２０を一体化させると、４本の脚部１４、２４で自立可能ではあるが、図１の態様の側方アタッチメント３０を取り付けることにより、柱等への取り付けが可能になり、第１及び第２の嵌め合わせ部材１０、２０を空中に保持することができ、物品の整頓や陳列の方法の選択肢が広がる。
【００１３】
図２は、第１の嵌め合わせ部材１０の模式平面図である。第１の嵌め合わせ部材１０には、環状部１１と、２つの脚部１４と、結合部１２とが備えられる。環状部１１は円環状あるいは楕円状などであることが好ましい。脚部１４は結合部１２を中心にして二又状になっている。この二又状の２つの脚部１４と、環状部１１とが、結合部１２を中心にしてＸ字状を呈している。好ましくは、第１の嵌め合わせ部材１０は実質的に一平面状に構成され、それにより、不要時にコンパクトに収納することができる。結合部１２には溝１３が形成されている。溝１３は、結合部１２のうちの、環状部１１に向かう部分に形成されている。
【００１４】
図３は、第２の嵌め合わせ部材２０の模式平面図である。第２の嵌め合わせ部材２０の構成は上述の第１の嵌め合わせ部材１０に類似しており、環状部２１、脚部２４、結合部２２を有していて、結合部２２において環状部２１と脚部２４とがＸ字状を呈しており、２つの脚部２４は結合部２２を中心に二又状を呈している。好ましくは、第２の嵌め合わせ部材２０も実質的に一平面状に構成され、それにより、不要時にコンパクトに収納することができる。第２の嵌め合わせ部材２０は溝２３の形成の仕方が第１の嵌め合わせ部材１０とは異なる。第２の嵌め合わせ部材２０の溝２３は、結合部２２のうちの、環状部２１とは反対側の部分、つまり脚部２４に向かう部分、好適には、２つの脚部２４が呈する二又状の中心部分に形成されている。好ましくは、第１の嵌め合わせ部材１０の溝１３と、第２の嵌め合わせ部材２０の溝２３とは実質的に同じ深さであり、これにより、両溝１３、２３を嵌め合わせたとき、第１の嵌め合わせ部材１０と第２の嵌め合わせ部材２０との一体化がより強固になる。
【００１５】
用時には、２つの嵌め合わせ部材１０、２０を一体化させる。このとき、第２の嵌め合わせ部材２０の脚部２４の一つを第１の嵌め合わせ部材１０の環状部１１に通して、両嵌め合わせ部材１０、２０の溝１３、２３どうしを嵌め合わせる。このとき、第２の嵌め合わせ部材２０の環状部２１が、第１の嵌め合わせ部材１０の環状部１１の中に入るように構成され、好ましくは、第２の嵌め合わせ部材２０の環状部２１と、第１の嵌め合わせ部材１０の環状部１１とが互いに実質的に直角になるように構成される。これにより、環状部１１、２１が４方向に膨らみを有することになるので、柔らかい物品をかぶせるようにして戴置することができる。
【００１６】
第１及び第２の嵌め合わせ部材１０、２０は、溝１３、２３の形成以外のところでは、同じ寸法で構成することが好ましい。それによって、両嵌め合わせ部材１０、２０を一体化したときに脚部１４、２４の寸法が揃って自立しやすくなるとともに、２つの環状部１１、２１が互いに応力を掛け合うことになり、強度向上に寄与する。なお、２つの環状部１１、２１の接触部分、すなわち、一般的には環状部１１、２１の頂部には、嵌め合わせが容易になるように互いに向き合うように凹部が形成されていることが好ましい（図２、図３を参照）。両嵌め合わせ部材１０、２０の一体化とは、溝１３、２３を嵌め合わせることにより、自立可能なように両嵌め合わせ部材１０、２０を固定化することであり、好ましくは着脱可能である。
【００１７】
第１及び第２の嵌め合わせ部材１０、２０は、一般的なプラスチック樹脂などの成型により製造することができる。第１及び第２の嵌め合わせ部材１０、２０の大きさは戴置しようとする物品の寸法などに応じて適宜設定することができる。
【００１８】
図４は本発明の戴置台の別の一例を示す斜視図である。第１の嵌め合わせ部材１０と第２の嵌め合わせ部材２０とが一体化されており、そこに、延長部材としての下方アタッチメント４０を取り付けようとしているところである。第１の嵌め合わせ部材１０と第２の嵌め合わせ部材２０とは、それぞれの結合部１２、２２において溝（図示せず）をはめ込むことにより一体化していて、４本の脚部１４、２４で自立可能になっている。２つの環状部１１、２１の上からかぶせるようにして物品（図示せず）を戴置することができる。
【００１９】
図４の態様では、下方アタッチメント４０は、４本の挟持部４２と、挟持部４２から延びる柄部４１と、柄部４１における挟持部４２とは反対側の端に設けられた脚部４３とを有する。脚部４３を水平な台などに置くことにより、柄部４１が鉛直上方に向き、下方アタッチメント４０全体が自立可能なように構成されている。柄部４１の長さは適宜設定することができ、上述した「振り出し竿」のように長さが変更可能であってもよい。挟持部４２は４本あり、隣接する挟持部４２で、第１及び第２の嵌め合わせ部材１０、２０の４本の脚部１４、２４の間から結合部１２、２２における中心付近の部分を一括して挟持することにより、下方アタッチメント４０を第１及び第２の嵌め合わせ部材１０、２０に着脱可能に取り付けることができる。
【００２０】
図１や図４の態様のように、延長部材としての側方アタッチメント３０や下方アタッチメント４０の挟持部３２、３３、４２が、第１及び第２の嵌め合わせ部材１０、２０の結合部１２、２２を一括して挟持することにより、第１及び第２の嵌め合わせ部材１０、２０の一体化の強度を向上することと、延長部材の取り付けとが同時に達成される。
【００２１】
側方アタッチメント３０や下方アタッチメント４０等の延長部材の材質、製法は特に制限されず、例えば、一般的なプラスチック材料あるいは、第１及び第２の嵌め合わせ部材１０、２０と同様の材料から成型によって製造することができる。
【００２２】
本発明によれば、この戴置台に載せる物品の種類は特に限定はなく、日用品、衣料品、装身具、かつらなどが挙げられる。かつらのように、下側が開放している中空の物品であれば、その中空部分を、環状部１１、２１にかぶせるように戴置することにより、型崩れを防ぐことができる。かつらが有する毛髪は用途に応じていろいろな長さのものがあり、例えば、延長部材の柄部４１の長さを調節することで、毛髪の長さの違いに対応することができ、毛髪が極めて長い場合などは、図１の態様のように側方アタッチメント３０を適用して、柱などに取り付けることにより、環状部１１、２１を空中に保持して、かつらの毛髪が地面や陳列棚などに接触することを防ぐことができる。かつらの毛髪が地面や陳列棚などに接触すると、意図したヘアスタイルが維持されなかったり、髪形に意図せぬ「癖」が付いたりする懸念があるので、本発明の戴置台を用いて、かつらの毛髪が地面や陳列棚などに接触しないように整頓したり陳列することが好ましい。
【産業上の利用可能性】
【００２３】
本発明によれば、不要時にコンパクトに収納でき、用時には、高さを自在に設定できたり、柱等に取り付けたりすることができる戴置台が提供され、物品の整頓や陳列において有用である。
【符号の説明】
【００２４】
１０  第１の嵌め合わせ部材
２０  第２の嵌め合わせ部材
１１、２１  環状部
１２、２２  結合部
１３、２３  溝
１４、２４  脚部
３０  側方アタッチメント
４０  下方アタッチメント
３１、４１  柄部
３２、３３、３４  挟持部
４２  脚部
【図１】
2012161388.tif 000003
【図２】
2012161388.tif 000004
【図３】
2012161388.tif 000005
【図４】
2012161388.tif 000006